【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】
被検物の内部部位を撮影し内視鏡画像を得る挿入部を有する内視鏡装置と、
前記内視鏡装置とケーブルにより接続され、電気信号若しくは光信号により前記内視鏡画像の送受及び該内視鏡装置の駆動制御を行い、ネットワーク通信を行うサーバーを有する制御部と、
前記制御部が接続可能な通信ネットワーク機構と、
前記通信ネットワーク機構に接続可能なサーバーを有し、前記内視鏡画像を観察しつつ該内視鏡装置を操作する機能を有する１若しくは複数の外部端末と、で構成され、
前記外部端末と前記制御部が前記通信ネットワークを介して接続された際に、前記内視鏡装置が前記外部端末により遠隔操作されることを特徴とする遠隔操作可能な内視鏡制御システム。
【請求項２】
前記内視鏡制御システムにおいて、
前記制御部に設けられた第１の画像及び音声キャプチャと、
前記外部端末にそれぞれに設けられた第２の画像及び音声キャプチャと、
を具備し、
前記外部端末と前記制御部が前記通信ネットワークを介して接続された際に、前記内視鏡画像の他に、前記第１画像及び音声キャプチャと第２の画像及び音声キャプチャの相互通信を行うことを特徴とする請求項１に記載の内視鏡制御システム。
【請求項３】
前記サーバーは、前記外部端末及び／又は前記制御部からの前記内視鏡装置の駆動制御に関する指示に対してスクリプトを使用して内視鏡装置を駆動制御する信号に変換することを特徴とする請求項１に記載の遠隔操作可能な内視鏡制御システム。
【請求項４】
前記制御部と前記外部端末とは、識別番号（ＩＤ）若しくはパスワードにより接続が排他的に制御され、前記制御部が許可した前記外部端末のみにより、前記内視鏡装置の駆動制御が行われることを特徴とする請求項１に記載の遠隔操作可能な内視鏡制御システム。
【請求項５】
被検物の内部部位を撮影し内視鏡画像を得る挿入部を有する内視鏡装置と、
前記内視鏡装置と無線で通信し、前記内視鏡画像の送受及び該内視鏡装置の駆動制御を行い、ネットワーク通信を行うサーバーを有する制御部と、
前記制御部が接続可能な通信ネットワーク機構と、
前記通信ネットワーク機構に接続可能なサーバーを有し、前記内視鏡画像を観察しつつ該内視鏡装置を操作する機能を有する１若しくは複数の外部端末と、で構成され、
前記外部端末と前記制御部が前記通信ネットワークを介して接続された際に、前記内視鏡装置が前記外部端末により遠隔操作されることを特徴とする遠隔操作可能な内視鏡制御システム。
【手続補正２】
【補正対象書類名】明細書
【補正対象項目名】００１１
【補正方法】変更
【補正の内容】
【００１１】
さらに、従来の内視鏡システムでは、内視鏡画像は１台程度の特定の端末でしか見ることができず、異なる遠隔地に複数の判定者が所在していた場合、同時にその内視鏡画像を観て意見交換などを行うなどすることはできなかった。
【手続補正３】
【補正対象書類名】明細書
【補正対象項目名】００２２
【補正方法】変更
【補正の内容】
【００２２】
次に、この撮像信号をＡ／Ｄ変換回路２５によりデジタル化処理を施し、画像データとして圧縮処理回路２７へ出力する。圧縮処理回路２７では、画像データ（静止画像及び動画像）に好適する圧縮方法、例えば、ＤＣＴ（ｄｉｓｃｒｅｔｅ  ｃｏｓｉｎｅ  ｔｒａｎｓｆｏｒｍ）等の直交変換符号化に可変長符号化を施す圧縮方式を用いて圧縮し、その圧縮された画像データは、ＲＡＭ２８に順次記憶される。これらの画像処理の際に、画像データ（内視鏡画像）に対して、明るさ調整やトリミング処理などの種々の画像調整・処理を適宜行うことができる。
【手続補正４】
【補正対象書類名】明細書
【補正対象項目名】００３７
【補正方法】変更
【補正の内容】
【００３７】
そして、Ｗｅｂサーバー６４からの情報と動画配信サーバー６０からの画像データが送信データ制御部５８Ｃを介して、ＬＡＮ等からなるネットワーク１７に接続する外部端末１８（１８ａ、１８ｂ）の両方若しくはいずれか一方にパケット通信方式などにより送信される。この外部端末１８には、通信Ｉ／Ｆ部Ｄ６５、Ｗｅｂブラウザ６６及び、受信部６７が設けられており、この通信Ｉ／Ｆ部Ｄ６５を通じて受信部６７に画像データ（内視鏡画像や操作者画像等）が受信される。ここでは、外部端末１８は内視鏡画像に対して何らかの判定を行う判定者（スーパーバイザー）が観察する。また、内視鏡制御データ変換部６８は、外部端末１８や制御部２のブラウザ等を通じてＷｅｂサーバー内の内視鏡装置の駆動制御に関するＨＴＭＬ及びスクリプトを使用して、内視鏡装置１を駆動制御する信号に変換し、送信データ制御４５ｂへ送信する。
【手続補正５】
【補正対象書類名】明細書
【補正対象項目名】００５６
【補正方法】変更
【補正の内容】
【００５６】
尚、前述した各実施形態において、ネットワーク通信に用いられるインタフェースは、イーサネット、無線ＬＡＮ、モデム、ＵＳＢ、ＩＥＥＥ１３９４、ＢｌｕｅＴｏｏｔｈ、ＩＥＥＥ２３２、ＩＥＥＥ４２２若しくは、ＩＥＥＥ４８５を利用することができる。また、ネットワーク通信に用いられるサーバーとしては、Ｗｅｂサーバー、画像配信サーバー、ファイル転送サーバー、メール送信及び受信サーバー若しくはＴｅｌｎｅｔサーバーである。また、具体的には、ＨＴＴＰのプロトコルであるＷｅｂサーバー、ＦＴＰ（Ｆｉｌｅ  ｔｒａｎｓｆａｒ  ｐｒｏｔｏｃｏｌ）のプロトコルであるファイル転送サーバー、ＳＭＴＰ（Ｓｉｍｐｌｅ  Ｍａｉｌ  Ｔｒａｎｓｆａｒ  Ｐｒｏｔｏｃｏｌ）のプロトコルであるメール送信サーバー、ＰＯＰ（Ｐｏｓｔ  Ｏｆｆｉｃｅ  Ｐｒｏｔｏｃｏｌ）のプロトコルであるメール受信サーバーを利用することができる。
【手続補正６】
【補正対象書類名】明細書
【補正対象項目名】００６１
【補正方法】変更
【補正の内容】
【００６１】
（１）内視鏡装置と内視鏡制御手段と端末が通信手段及び／又は画像及び音声キャプチャ手段で接続されており、前記内視鏡制御手段は、サーバー手段を具備していることを特徴とする内視鏡システム。
【手続補正７】
【補正対象書類名】明細書
【補正対象項目名】００６２
【補正方法】変更
【補正の内容】
【００６２】
（２）前記サーバー手段は、内視鏡装置の内視鏡画像データ及び／又は音声データを端末に配信することを特徴とする前記（１）項に記載の内視鏡システム、
（３）前記サーバー手段は、端末及び／又は前記内視鏡制御手段からの内視鏡制御リクエスト情報をスクリプトを使用して内視鏡装置が解釈できる制御データに変換することを特徴とする前記（１）項に記載の内視鏡システム。
【手続補正８】
【補正対象書類名】明細書
【補正対象項目名】００６３
【補正方法】変更
【補正の内容】
【００６３】
（４）前記サーバー手段は、端末及び／又は内視鏡制御手段からの内視鏡制御リクエストを排他制御し、スクリプトを使用し内視鏡装置が解釈できる制御データに変換することを特徴とする前記（１）項に記載の内視鏡システム。
【手続補正９】
【補正対象書類名】明細書
【補正対象項目名】００６５
【補正方法】変更
【補正の内容】
【００６５】
（６）前記通信手段に用いられるインタフェースは、イーサネット、無線ＬＡＮ、モデム、ＵＳＢ、ＩＥＥＥ１３９４、ＢｌｕｅＴｏｏｔｈ、ＩＥＥＥ２３２、ＩＥＥＥ４２２若しくは、ＩＥＥＥ４８５を含む。
【手続補正１０】
【補正対象書類名】明細書
【補正対象項目名】００７０
【補正方法】変更
【補正の内容】
【００７０】
（１１）前記（１０）項に記載の前記サーバーは、ＨＴＴＰのプロトコルであるＷｅｂサーバー、ＦＴＰ（Ｆｉｌｅ  ｔｒａｎｓｆａｒ  ｐｒｏｔｏｃｏｌ）のプロトコルであるファイル転送サーバー、ＳＭＴＰ（Ｓｉｍｐｌｅ  Ｍａｉｌ  Ｔｒａｎｓｆａｒ  Ｐｒｏｔｏｃｏｌ）のプロトコルであるメール送信サーバー、ＰＯＰ（Ｐｏｓｔ  Ｏｆｆｉｃｅ  Ｐｒｏｔｏｃｏｌ）のプロトコルであるメール受信サーバーである。